【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
２個のシンボルにより構成される符号系列の同一の前記シンボル間に連続して配置される他の前記シンボルの長さである連続長が、所定の規定長として予め規定されている符号であって、所定の伝送路を介して伝送された伝送符号を復号する符号復号装置であって、
前記伝送符号の同一の前記シンボルの連続長が、前記規定に違反している違反長の長さであることを検出する違反長検出手段と、
前記違反長のシンボルにより構成される前記違反ビット列を含む前記伝送符号のビット列のパターンを検出するパターン検出手段と、
前記パターン検出手段の検出結果に対応して、前記違反ビット列を含む前記伝送符号の補正位置を指定する指定手段と、
前記違反長が前記規定長となるように、前記指定手段の指定する補正位置の前記伝送符号のビットを補正する補正手段と
を備えることを特徴とする符号復号装置。
【請求項２】
前記伝送路を介して伝送されてきた信号を少なくとも１つの基準レベルと比較して、前記伝送符号を出力する比較手段をさらに備える
ことを特徴とする請求項１に記載の符号復号装置。
【請求項３】
前記伝送符号は、所定の記録媒体から再生された符号である  ことを特徴とする請求項１に記載の符号復号装置。
【請求項４】
前記パターン検出手段は、前記違反ビット列の前のビット列のパターンと後のビット列のパターンのうち、少なくとも一方を検出する
ことを特徴とする請求項１に記載の符号復号装置。
【請求項５】
前記パターン検出手段は、前記パターンとして、前記違反ビット列の前のビット列または後のビット列の前記連続長が、前記規定長であるか否かを検出する
ことを特徴とする請求項４に記載の符号復号装置。
【請求項６】
前記パターン検出手段により、前記違反ビット列の前のビット列が、前記規定長の同一のシンボルにより構成されていることが検出されたとき、前記指定手段は、前記違反ビット列の後のビット列のビットを前記補正位置として指定する
ことを特徴とする請求項５に記載の符号復号装置。
【請求項７】
前記パターン検出手段により、前記違反ビット列の後のビット列が、前記規定長の同一のシンボルにより構成されていることが検出されたとき、前記指定手段は、前記違反ビット列の前のビット列のビットを前記補正位置として指定する
ことを特徴とする請求項５に記載の符号復号装置。
【請求項８】
前記指定手段により指定された補正位置を、次に指定手段により指定されるまでの間、一時的に記憶する記憶手段をさらに備える
ことを特徴とする請求項４に記載の符号復号装置。
【請求項９】
前記違反長検出手段により前記違反長が検出され、かつ、前記パターン検出手段により、前記違反ビット列の前のパターンまたは後のビット列のパターンが、前記違反ビット列の後または前のビットを補正位置として指定するパターンではないことが検出されたとき、前記指定手段は、直前の前記違反長の検出時の補正位置に対応して今回の補正位置を指定する
ことを特徴とする請求項４に記載の符号復号装置。
【請求項１０】
前記違反長検出手段により前記違反長が検出され、かつ、前記パターン検出手段により、前記違反ビット列の前のパターンまたは後のビット列のパターンが、前記違反ビット列の後または前のビットを補正位置として指定するパターンではないことが検出されたとき、前記指定手段は、前記違反ビット列の前または後のビットのうち、予め指定されている方を前記補正位置として指定する
ことを特徴とする請求項４に記載の符号復号装置。
【請求項１１】
前記補正手段は、前記指定手段により指定された前記補正位置の前記ビットの論理レベルを反転させることにより前記補正を行う
ことを特徴とする請求項１に記載の符号復号装置。
【請求項１２】
前記シンボルは、”１”と”０”であり、
前記規定長は、前記符号系列の”１”と”１”の間に連続して配置される”０”の最小連続長がｄである符号をＮＲＺＩ変調した後の、同一のシンボルの最小連続長ｄ’（＝ｄ＋１（ｄ≧１））であり、
前記違反長検出手段は、チャネルビットのビット列の同一のシンボルの連続長が（ｄ’−１）である連続長を前記違反長として検出し、
前記補正手段は、前記違反ビット列を含むビット列を、前記同一のシンボルの連続長がｄ’となるように補正する
ことを特徴とする請求項１に記載の符号復号装置。
【請求項１３】
前記指定手段は、前記違反長の直前の１個のビット、または直後の１個のビットのうちの少なくとも一方を、前記補正位置として指定する  ことを特徴とする請求項１２に記載の符号復号装置。
【請求項１４】
前記シンボルは、”１”と”０”であり、
前記規定長は、前記符号系列の”１”と”１”の間に連続して配置される”０”の最大連続長がｋである符号をＮＲＺＩ変調した後の、同一のシンボルの最大連続長ｋ’（＝ｋ＋１）であり、
前記違反長検出手段は、チャネルビットのビット列の同一のシンボルの連続長が（ｋ’＋１）である連続長を前記違反長として検出し、
前記補正手段は、前記違反ビット列を含むビット列を、前記同一のシンボルの連続長がｋ’となるように補正する
ことを特徴とする請求項１に記載の符号復号装置。
【請求項１５】
前記指定手段は、前記違反長の最前の１個のビット、または最後の１個のビットのうちの少なくとも一方を、前記補正位置として指定する  ことを特徴とする請求項１４に記載の符号復号装置。
【請求項１６】
前記シンボルは、”１”と”０”であり、
前記規定長は、前記符号系列の”１”と”１”の間に連続して配置される”０”の最小連続長がｄである符号の、”０”の連続長ｄ（ｄ≧１）であり、
前記違反長検出手段は、エッジデータからなる前記伝送符号から、チャネルビットのビット列の同一のシンボルの連続長が（ｄ−１）である連続長を前記違反長として検出し、
前記補正手段は、前記違反ビット列を含むビット列を、前記同一のシンボルの連続長がｄとなるように補正する
ことを特徴とする請求項１に記載の符号復号装置。
【請求項１７】
前記指定手段は、前記違反長の最前の１個のビットとその直前の１個のビット、または前記違反長の最後の１個のビットとその直後の１個のビットのうちの少なくとも一方を、前記補正位置として指定する
ことを特徴とする請求項１６に記載の符号復号装置。
【請求項１８】
前記シンボルは、”１”と”０”であり、
前記規定長は、前記符号系列の”１”と”１”の間に連続して配置される”０”の最大連続長がｋである符号の、”０”の連続長ｋであり、
前記違反長検出手段は、エッジデータからなる前記伝送符号から、チャネルビットのビット列の同一のシンボルの連続長が（ｋ＋１）である連続長を前記違反長として検出し、
前記補正手段は、前記違反ビット列を含むビット列を、前記同一のシンボルの連続長がｋとなるように補正する
ことを特徴とする請求項１に記載の符号復号装置。
【請求項１９】
前記指定手段は、前記違反長の最前の１個のビットとその直後の１個のビット、または前記違反長の最後の１個のビットとその直前の１個のビットのうちの少なくとも一方を、前記補正位置として指定する
ことを特徴とする請求項１８に記載の符号復号装置。
【請求項２０】
２個のシンボルにより構成される符号系列の同一の前記シンボル間に連続して配置される他の前記シンボルの長さである連続長が、所定の規定長として予め規定されている符号であって、所定の伝送路を介して伝送された伝送符号を復号する符号復号方法であって、
前記伝送符号の同一の前記シンボルの連続長が、前記規定に違反している違反長の長さであることを検出する違反長検出ステップと、
前記違反長のシンボルにより構成される前記違反ビット列を含む前記伝送符号のビット列のパターンを検出するパターン検出ステップと、
前記パターン検出ステップの検出結果に対応して、前記違反ビット列を含む前記伝送符号の補正位置を指定する指定ステップと、
前記違反長が前記規定長となるように、前記指定ステップの指定する補正位置の前記伝送符号のビットを補正する補正ステップと
を備えることを特徴とする符号復号方法。
【手続補正２】
【補正対象書類名】明細書
【補正対象項目名】図面の簡単な説明
【補正方法】変更
【補正の内容】
【図面の簡単な説明】
【図１】本発明の符号復号装置の構成例を示すブロック図である。
【図２】図１の実施の形態における最小連続長に対する補正動作を説明するフローチャートである。
【図３】図１の実施の形態の動作を説明するタイミングチャートである。
【図４】図１の実施の形態の他の動作を説明するタイミングチャートである。
【図５】図１のメモリと違反長検出回路の構成例を示すブロック図である。
【図６】図１のメモリとパターン検出回路の構成例を示すブロック図である。
【図７】図１の補正位置検出回路と補正処理回路の構成例を示すブロック図である。
【図８】図７の構成例の動作を説明するタイミングチャートである。
【図９】図２のフローチャートの処理を説明する図である。
【図１０】図１の補正位置検出回路と補正処理回路の他の構成例を示すブロック図である。
【図１１】図１の補正位置検出回路のメモリの構成例を示すブロック図である。
【図１２】図１１の構成例の動作を説明するタイミングチャートである。
【図１３】図１の実施の形態における最大連続長に対する補正動作を説明するフローチャートである。
【図１４】図１３のフローチャートの処理を説明する図である。
【図１５】エッジデータを検出するコンパレータの動作を説明する図である。
【図１６】図１の実施の形態における逆ＮＲＺＩ変調時の最小連続長に対する補正動作を説明するフローチャートである。
【図１７】図１の違反長検出回路の他の構成例を示すブロック図である。
【図１８】図１のパターン検出回路の他の構成例を示すブロック図である。
【図１９】図１の補正位置検出回路と補正処理回路の他の構成例を示すブロック図である。
【図２０】図１の補正位置検出回路と補正処理回路のさらに他の構成例を示すブロック図である。
【図２１】図１６のフローチャートの処理を説明する図である。
【図２２】図１の実施の形態における逆ＮＲＺＩ変調時の最大連続長に対する補正動作を説明するフローチャートである。
【図２３】図２２のフローチャートの処理を説明する図である。
【図２４】従来の符号復号装置の構成例を示すブロック図である。


【手続補正３】
【補正対象書類名】図面
【補正対象項目名】図２
【補正方法】変更
【補正の内容】
【図２】
1998162514.tif 000001